(57)【要約】【課題】地上波デジタルテレビジョン放送の受信視聴に伴い関連Ｗｅｂサイトのホームページなどを閲覧するためのデジタルテレビ受信システムにおいて、全視聴者を対象にテレビ番組視聴中におけるＷｅｂサイト閲覧情報を収集し有効利用する。【解決手段】インターネットＮとの接続通信機能を備えた各デジタルテレビ受信装置１０Ａ，１０Ｂ，…における各番組視聴中に、該番組関連ＷｅｂサイトのＵＲＬをＵＲＬ提供サーバ１３から配信してそのＨＰデータをダウンロードさせＨＰタイトルを表示させると共に、視聴者がタイトル指定して閲覧したＨＰのＵＲＬ情報を、サーバ共有データベース１５にて管理される放送番組毎ＵＲＬ情報において、各番組毎の関連ＷｅｂサイトＵＲＬに対する視聴者アクセス回数として集計記録し、放送局１１に提供して各番組映像画面に該番組関連各Ｗｅｂサイトへの視聴者アクセス数ランキングとして表示させる。【選択図】      図１
2007110671.tif 000002
【特許請求の範囲】
【請求項１】
インターネット接続機能を有するテレビ受信装置と、該インターネット上のサーバ装置とからなるデジタルテレビ受信システムであって、
前記テレビ受信装置は、
ユーザが視聴しているテレビ番組の受信情報を前記サーバ装置へ送信する受信情報送信手段と、
前記テレビ番組の視聴中にユーザが前記インターネット接続機能を用いてアクセスしたＷｅｂサイトのＵＲＬを前記サーバ装置へ送信するＵＲＬ送信手段とを備え、
前記サーバ装置は、
前記テレビ受信装置の受信情報送信手段により送信された受信情報を受信する受信情報受信手段と、
前記テレビ受信装置のＵＲＬ送信手段により送信されたＵＲＬを受信するＵＲＬ受信手段と、
前記受信情報受信手段により受信された前記テレビ受信装置での受信情報に基づいた番組情報に対応付けて前記ＵＲＬ受信手段により受信されたＵＲＬを集計するアクセスＵＲＬ集計手段と、
このアクセスＵＲＬ集計手段により集計された番組情報毎のアクセスＵＲＬの集計結果を出力する集計結果出力手段とを備えた、
ことを特徴とするデジタルテレビ受信システム。
【請求項２】
前記サーバ装置は、さらに、
複数の番組情報のそれぞれに対応付けて該番組に関連するＷｅｂサイトのＵＲＬを記憶する番組毎ＵＲＬ記憶手段と、
前記受信情報受信手段により前記テレビ受信装置からその受信情報が受信されたことに応答して当該受信情報に基づいた番組情報に対応付けて前記番組毎ＵＲＬ記憶手段により記憶された関連ＷｅｂサイトのＵＲＬを前記テレビ受信装置へ送信提供する関連ＵＲＬ提供手段とを備え、
前記テレビ受信装置は、さらに、
前記サーバ装置の関連ＵＲＬ提供手段より送信提供されたＵＲＬを受信する関連ＵＲＬ受信手段と、
この関連ＵＲＬ受信手段より受信された視聴中のテレビ番組に関連するＷｅｂサイトのＵＲＬに従ってそのホームページのタイトルを該視聴中の番組画面に表示させるＨＰタイトル表示制御手段とを備えた、
ことを特徴とする請求項１に記載のデジタルテレビ受信システム。
【請求項３】
前記テレビ受信装置のＨＰタイトル表示制御手段は、
前記関連ＵＲＬ受信手段より受信された視聴中のテレビ番組に関連するＷｅｂサイトのＵＲＬに従ってそのホームページをダウンロードするＨＰダウンロード手段を有し、
このＨＰダウンロード手段によりダウンロードされたホームページのタイトルを視聴中の番組画面に表示させることを特徴とする請求項２に記載のデジタルテレビ受信システム。
【請求項４】
前記テレビ受信装置は、さらに、
前記ＨＰタイトル表示制御手段により視聴中の番組画面に表示制御された関連Ｗｅｂサイトのホームページのタイトルをユーザ操作に応じて指定するＨＰタイトル指定手段と、
このＨＰタイトル指定手段により指定されたＨＰタイトルに応じて前記ＨＰダウンロード手段によりダウンロードされたホームページを表示させるＨＰ表示制御手段とを備え、
前記ＵＲＬ送信手段によりサーバ装置へ送信する番組視聴中にアクセスしたＷｅｂサイトのＵＲＬは、前記ＨＰ表示制御手段により表示制御されたホームページのＵＲＬであることを特徴とする請求項３に記載のデジタルテレビ受信システム。
【請求項５】
前記テレビ受信装置のＵＲＬ送信手段によりサーバ装置へ送信する番組視聴中にアクセスしたＷｅｂサイトのＵＲＬの情報には、前記ＨＰ表示制御手段により表示制御されたホームページのＵＲＬとその表示時間が含まれ、
前記サーバ装置のアクセスＵＲＬ集計手段は、前記受信情報受信手段により受信された前記テレビ受信装置での受信情報に基づいた番組情報に対応付けて前記ＵＲＬ受信手段により受信されたＵＲＬとそのホームページの表示時間を集計する、
ことを特徴とする請求項４に記載のデジタルテレビ受信システム。
【請求項６】
前記テレビ受信装置は、さらに、
前記テレビ番組の視聴中の当該テレビ受信装置に対するユーザ操作情報を前記サーバ装置へ送信するＴＶ操作送信手段を備え、
前記サーバ装置は、さらに、
前記テレビ受信装置のＴＶ操作送信手段により送信されたユーザ操作情報を受信するＴＶ操作情報受信手段を備え、
前記アクセスＵＲＬ集計手段は、前記受信情報受信手段により受信された前記テレビ受信装置での受信情報に基づいた番組情報に対応付けて前記ＵＲＬ受信手段により受信されたＵＲＬおよび前記ＴＶ操作情報受信手段により受信された前記テレビ受信装置のユーザ操作情報を集計し、
前記集計結果出力手段は、前記アクセスＵＲＬ集計手段により集計された番組情報毎のアクセスＵＲＬおよびテレビ受信装置のユーザ操作情報の集計結果を出力する、
ことを特徴とする請求項１に記載のデジタルテレビ受信システム。
【請求項７】
前記番組情報は、放送チャンネルと放送時間と番組名とを対応付けてなり、
前記受信情報は、受信チャンネルと現在時刻とを対応付けてなる、
ことを特徴とする請求項１ないし請求項６の何れか１項に記載のデジタルテレビ受信システム。
【請求項８】
インターネット接続機能を有するテレビ受信装置であって、
ユーザが視聴しているテレビ番組の受信情報をインターネット上のサーバ装置へ送信する受信情報送信手段と、
前記テレビ番組の視聴中にユーザが前記インターネット接続機能を用いてアクセスしたＷｅｂサイトのＵＲＬを前記インターネット上のサーバ装置へ送信するＵＲＬ送信手段と、
を備えたことを特徴とするテレビ受信装置。
【請求項９】
前記受信情報送信手段による受信情報の送信に応答して前記サーバ装置から送信提供された視聴中のテレビ番組に関連するＷｅｂサイトのＵＲＬを受信する関連ＵＲＬ受信手段と、
この関連ＵＲＬ受信手段より受信された視聴中のテレビ番組に関連するＷｅｂサイトのＵＲＬに従ってそのホームページのタイトルを該視聴中の番組画面に表示させるＨＰタイトル表示制御手段と、
このＨＰタイトル表示制御手段により視聴中の番組画面に表示制御された関連Ｗｅｂサイトのホームページのタイトルをユーザ操作に応じて指定するＨＰタイトル指定手段と、
このＨＰタイトル指定手段により指定されたＨＰタイトルに応じて前記インターネットからダウンロードされたホームページを表示させるＨＰ表示制御手段とを備え、
前記ＵＲＬ送信手段により前記サーバ装置へ送信する番組視聴中にアクセスしたＷｅｂサイトのＵＲＬは、前記ＨＰ表示制御手段により表示制御されたホームページのＵＲＬであることを特徴とする請求項８に記載のテレビ受信装置。
【請求項１０】
前記ＵＲＬ送信手段により前記サーバ装置へ送信するＵＲＬの情報には、前記ＨＰ表示制御手段により表示制御されたホームページのＵＲＬとその表示時間が含まれることを特徴とする請求項９に記載のテレビ受信装置。
【請求項１１】
前記テレビ番組の視聴中の本受信装置に対するユーザ操作情報を前記サーバ装置へ送信するＴＶ操作送信手段を備えたことを特徴とする請求項８に記載のテレビ受信装置。
【請求項１２】
テレビ番組の視聴中にその受信情報をインターネット上のサーバ装置へ送信する受信情報送信手段と、前記テレビ番組の視聴中にアクセスしたＷｅｂサイトのＵＲＬを前記インターネット上のサーバ装置へ送信するＵＲＬ送信手段とを備えたテレビ受信装置が接続されているインターネット上のサーバ装置であって、
前記テレビ受信装置の受信情報送信手段により送信された受信情報を受信する受信情報受信手段と、
前記テレビ受信装置のＵＲＬ送信手段により送信されたＵＲＬを受信するＵＲＬ受信手段と、
前記受信情報受信手段により受信された前記テレビ受信装置での受信情報に基づいた番組情報に対応付けて前記ＵＲＬ受信手段により受信されたＵＲＬを集計するアクセスＵＲＬ集計手段と、
このアクセスＵＲＬ集計手段により集計された番組情報毎のアクセスＵＲＬの集計結果を出力する集計結果出力手段と、
を備えたことを特徴とするサーバ装置。
【請求項１３】
前記テレビ受信装置のＵＲＬ送信手段により本サーバ装置へ送信されるＵＲＬの情報には、テレビ番組の視聴中にアクセスしたＷｅｂサイトのＵＲＬとそのホームページの表示時間が含まれ、
前記アクセスＵＲＬ集計手段は、前記受信情報受信手段により受信された前記テレビ受信装置での受信情報に基づいた番組情報に対応付けて前記ＵＲＬ受信手段により受信されたＵＲＬとそのホームページの表示時間を集計する、
ことを特徴とする請求項１２に記載のサーバ装置。
【請求項１４】
前記テレビ受信装置には、さらに、前記テレビ番組の視聴中の当該テレビ受信装置に対するユーザ操作情報をサーバ装置へ送信するＴＶ操作送信手段が備えられ、
このテレビ受信装置のＴＶ操作送信手段により送信されたユーザ操作情報を受信するＴＶ操作情報受信手段をさらに備え、
前記アクセスＵＲＬ集計手段は、前記受信情報受信手段により受信された前記テレビ受信装置での受信情報に基づいた番組情報に対応付けて前記ＵＲＬ受信手段により受信されたＵＲＬおよび前記ＴＶ操作情報受信手段により受信された前記テレビ受信装置のユーザ操作情報を集計し、
前記集計結果出力手段は、前記アクセスＵＲＬ集計手段により集計された番組情報毎のアクセスＵＲＬおよびテレビ受信装置のユーザ操作情報の集計結果を出力する、
ことを特徴とする請求項１２に記載のサーバ装置。
【発明の詳細な説明】
【技術分野】
【０００１】
本発明は、地上波デジタルテレビジョン放送の受信視聴に伴い関連Ｗｅｂサイトのホームページなどを閲覧するためのデジタルテレビ受信システム、およびその受信装置、サーバ装置に関する。
【背景技術】
【０００２】
近年、地上波デジタルテレビジョン放送が都市部から地方地域へと順次実用化されており、そのためのテレビ受信装置も一般に広く普及して来ている。
【０００３】
また、パーソナルコンピュータなどを使用したインターネットとの接続通信装置も一般に広く普及しており、インターネット上に開設したテレビジョン放送の各番組関連Ｗｅｂサイトへも容易にアクセス可能となっている。
【０００４】
そして、デジタルテレビジョン放送の受信出力機能とインターネットとの接続通信機能の両方を備えたテレビ受信装置において、受信視聴中のテレビ番組上で文字表示された関連ＷｅｂサイトのＵＲＬを指定することで、当該関連Ｗｅｂサイトに接続しそのホームページを容易に閲覧できるようにしたテレビジョン放送システムも考えられている（例えば、特許文献１参照。）。
【特許文献１】特開２００２−１１２２２９号公報
【発明の開示】
【発明が解決しようとする課題】
【０００５】
一般に、テレビジョン放送の番組制作にあたり、例えばその視聴率は大変重要な事柄であり、このような視聴者の動向に関する情報は予めランダムに選んだ多数の視聴者から得ているが、全視聴者が対象ではない問題があり、またこれ以外にも、関連ｗｅｂサイトのホームページ閲覧情報も収集して有効に利用することが望まれる。
【０００６】
本発明は、このような課題に鑑みなされたもので、全視聴者を対象にテレビ番組視聴中におけるＷｅｂサイト閲覧情報を収集し有効利用することが可能になるデジタルテレビ受信システム、およびその受信装置、サーバ装置を提供することを目的とする。
【課題を解決するための手段】
【０００７】
請求項１に記載のデジタルテレビ受信システムは、インターネット接続機能を有するテレビ受信装置と、該インターネット上のサーバ装置とからなるデジタルテレビ受信システムであって、
前記テレビ受信装置は、ユーザが視聴しているテレビ番組の受信情報を前記サーバ装置へ送信する受信情報送信手段と、前記テレビ番組の視聴中にユーザが前記インターネット接続機能を用いてアクセスしたＷｅｂサイトのＵＲＬを前記サーバ装置へ送信するＵＲＬ送信手段とを備え、
前記サーバ装置は、前記テレビ受信装置の受信情報送信手段により送信された受信情報を受信する受信情報受信手段と、前記テレビ受信装置のＵＲＬ送信手段により送信されたＵＲＬを受信するＵＲＬ受信手段と、前記受信情報受信手段により受信された前記テレビ受信装置での受信情報に基づいた番組情報に対応付けて前記ＵＲＬ受信手段により受信されたＵＲＬを集計するアクセスＵＲＬ集計手段と、このアクセスＵＲＬ集計手段により集計された番組情報毎のアクセスＵＲＬの集計結果を出力する集計結果出力手段とを備えたことを特徴としている。
【０００８】
請求項２に記載のデジタルテレビ受信システムは、前記請求項１に記載のデジタルテレビ受信システムにおいて、
前記サーバ装置は、さらに、複数の番組情報のそれぞれに対応付けて該番組に関連するＷｅｂサイトのＵＲＬを記憶する番組毎ＵＲＬ記憶手段と、前記受信情報受信手段により前記テレビ受信装置からその受信情報が受信されたことに応答して当該受信情報に基づいた番組情報に対応付けて前記番組毎ＵＲＬ記憶手段により記憶された関連ＷｅｂサイトのＵＲＬを前記テレビ受信装置へ送信提供する関連ＵＲＬ提供手段とを備え、
前記テレビ受信装置は、さらに、前記サーバ装置の関連ＵＲＬ提供手段より送信提供されたＵＲＬを受信する関連ＵＲＬ受信手段と、この関連ＵＲＬ受信手段より受信された視聴中のテレビ番組に関連するＷｅｂサイトのＵＲＬに従ってそのホームページのタイトルを該視聴中の番組画面に表示させるＨＰタイトル表示制御手段とを備えたことを特徴としている。
【０００９】
請求項３に記載のデジタルテレビ受信システムは、前記請求項２に記載のデジタルテレビ受信システムにおいて、前記テレビ受信装置のＨＰタイトル表示制御手段は、前記関連ＵＲＬ受信手段より受信された視聴中のテレビ番組に関連するＷｅｂサイトのＵＲＬに従ってそのホームページをダウンロードするＨＰダウンロード手段を有し、このＨＰダウンロード手段によりダウンロードされたホームページのタイトルを視聴中の番組画面に表示させることを特徴としている。
【００１０】
請求項４に記載のデジタルテレビ受信システムは、前記請求項３に記載のデジタルテレビ受信システムにおいて、前記テレビ受信装置は、さらに、前記ＨＰタイトル表示制御手段により視聴中の番組画面に表示制御された関連Ｗｅｂサイトのホームページのタイトルをユーザ操作に応じて指定するＨＰタイトル指定手段と、このＨＰタイトル指定手段により指定されたＨＰタイトルに応じて前記ＨＰダウンロード手段によりダウンロードされたホームページを表示させるＨＰ表示制御手段とを備え、前記ＵＲＬ送信手段によりサーバ装置へ送信する番組視聴中にアクセスしたＷｅｂサイトのＵＲＬは、前記ＨＰ表示制御手段により表示制御されたホームページのＵＲＬであることを特徴としている。
【００１１】
請求項５に記載のデジタルテレビ受信システムは、前記請求項４に記載のデジタルテレビ受信システムにおいて、前記テレビ受信装置のＵＲＬ送信手段によりサーバ装置へ送信する番組視聴中にアクセスしたＷｅｂサイトのＵＲＬの情報には、前記ＨＰ表示制御手段により表示制御されたホームページのＵＲＬとその表示時間が含まれ、前記サーバ装置のアクセスＵＲＬ集計手段は、前記受信情報受信手段により受信された前記テレビ受信装置での受信情報に基づいた番組情報に対応付けて前記ＵＲＬ受信手段により受信されたＵＲＬとそのホームページの表示時間を集計することを特徴としている。
【００１２】
請求項６に記載のデジタルテレビ受信システムは、前記請求項１に記載のデジタルテレビ受信システムにおいて、前記テレビ受信装置は、さらに、前記テレビ番組の視聴中の当該テレビ受信装置に対するユーザ操作情報を前記サーバ装置へ送信するＴＶ操作送信手段を備え、前記サーバ装置は、さらに、前記テレビ受信装置のＴＶ操作送信手段により送信されたユーザ操作情報を受信するＴＶ操作情報受信手段を備え、前記アクセスＵＲＬ集計手段は、前記受信情報受信手段により受信された前記テレビ受信装置での受信情報に基づいた番組情報に対応付けて前記ＵＲＬ受信手段により受信されたＵＲＬおよび前記ＴＶ操作情報受信手段により受信された前記テレビ受信装置のユーザ操作情報を集計し、前記集計結果出力手段は、前記アクセスＵＲＬ集計手段により集計された番組情報毎のアクセスＵＲＬおよびテレビ受信装置のユーザ操作情報の集計結果を出力することを特徴としている。
【００１３】
請求項７に記載のデジタルテレビ受信システムは、前記請求項１ないし請求項６の何れか１項に記載のデジタルテレビ受信システムにおいて、前記番組情報は、放送チャンネルと放送時間と番組名とを対応付けてなり、前記受信情報は、受信チャンネルと現在時刻とを対応付けてなることを特徴としている。
【００１４】
請求項８に記載のテレビ受信装置は、インターネット接続機能を有するテレビ受信装置であって、ユーザが視聴しているテレビ番組の受信情報をインターネット上のサーバ装置へ送信する受信情報送信手段と、前記テレビ番組の視聴中にユーザが前記インターネット接続機能を用いてアクセスしたＷｅｂサイトのＵＲＬを前記インターネット上のサーバ装置へ送信するＵＲＬ送信手段とを備えたことを特徴としている。
【００１５】
請求項９に記載のテレビ受信装置は、前記請求項８に記載のテレビ受信装置において、前記受信情報送信手段による受信情報の送信に応答して前記サーバ装置から送信提供された視聴中のテレビ番組に関連するＷｅｂサイトのＵＲＬを受信する関連ＵＲＬ受信手段と、この関連ＵＲＬ受信手段より受信された視聴中のテレビ番組に関連するＷｅｂサイトのＵＲＬに従ってそのホームページのタイトルを該視聴中の番組画面に表示させるＨＰタイトル表示制御手段と、このＨＰタイトル表示制御手段により視聴中の番組画面に表示制御された関連Ｗｅｂサイトのホームページのタイトルをユーザ操作に応じて指定するＨＰタイトル指定手段と、このＨＰタイトル指定手段により指定されたＨＰタイトルに応じて前記インターネットからダウンロードされたホームページを表示させるＨＰ表示制御手段とを備え、前記ＵＲＬ送信手段により前記サーバ装置へ送信する番組視聴中にアクセスしたＷｅｂサイトのＵＲＬは、前記ＨＰ表示制御手段により表示制御されたホームページのＵＲＬであることを特徴としている。
【００１６】
請求項１０に記載のテレビ受信装置は、前記請求項９に記載のテレビ受信装置において、前記ＵＲＬ送信手段により前記サーバ装置へ送信するＵＲＬの情報には、前記ＨＰ表示制御手段により表示制御されたホームページのＵＲＬとその表示時間が含まれることを特徴としている。
【００１７】
請求項１１に記載のテレビ受信装置は、前記請求項８に記載のテレビ受信装置において、前記テレビ番組の視聴中の本受信装置に対するユーザ操作情報を前記サーバ装置へ送信するＴＶ操作送信手段を備えたことを特徴としている。
【００１８】
請求項１２に記載のサーバ装置は、テレビ番組の視聴中にその受信情報をインターネット上のサーバ装置へ送信する受信情報送信手段と、前記テレビ番組の視聴中にアクセスしたＷｅｂサイトのＵＲＬを前記インターネット上のサーバ装置へ送信するＵＲＬ送信手段とを備えたテレビ受信装置が接続されているインターネット上のサーバ装置であって、前記テレビ受信装置の受信情報送信手段により送信された受信情報を受信する受信情報受信手段と、前記テレビ受信装置のＵＲＬ送信手段により送信されたＵＲＬを受信するＵＲＬ受信手段と、前記受信情報受信手段により受信された前記テレビ受信装置での受信情報に基づいた番組情報に対応付けて前記ＵＲＬ受信手段により受信されたＵＲＬを集計するアクセスＵＲＬ集計手段と、このアクセスＵＲＬ集計手段により集計された番組情報毎のアクセスＵＲＬの集計結果を出力する集計結果出力手段とを備えたことを特徴としている。
【００１９】
請求項１３に記載のサーバ装置は、前記請求項１２に記載のサーバ装置において、前記テレビ受信装置のＵＲＬ送信手段により本サーバ装置へ送信されるＵＲＬの情報には、テレビ番組の視聴中にアクセスしたＷｅｂサイトのＵＲＬとそのホームページの表示時間が含まれ、前記アクセスＵＲＬ集計手段は、前記受信情報受信手段により受信された前記テレビ受信装置での受信情報に基づいた番組情報に対応付けて前記ＵＲＬ受信手段により受信されたＵＲＬとそのホームページの表示時間を集計することを特徴としている。
【００２０】
請求項１４に記載のサーバ装置は、前記請求項１２に記載のサーバ装置において、前記テレビ受信装置には、さらに、前記テレビ番組の視聴中の当該テレビ受信装置に対するユーザ操作情報をサーバ装置へ送信するＴＶ操作送信手段が備えられ、このテレビ受信装置のＴＶ操作送信手段により送信されたユーザ操作情報を受信するＴＶ操作情報受信手段をさらに備え、前記アクセスＵＲＬ集計手段は、前記受信情報受信手段により受信された前記テレビ受信装置での受信情報に基づいた番組情報に対応付けて前記ＵＲＬ受信手段により受信されたＵＲＬおよび前記ＴＶ操作情報受信手段により受信された前記テレビ受信装置のユーザ操作情報を集計し、前記集計結果出力手段は、前記アクセスＵＲＬ集計手段により集計された番組情報毎のアクセスＵＲＬおよびテレビ受信装置のユーザ操作情報の集計結果を出力することを特徴としている。
【発明の効果】
【００２１】
本発明の請求項１に記載のデジタルテレビ受信システムによれば、テレビ受信装置においてテレビ番組を視聴すると、該番組視聴中にその受信情報がサーバ装置へ送信され、また同番組視聴中にＷｅｂサイトにアクセスすると、このアクセスしたＷｅｂサイトのＵＲＬがサーバ装置へ送信される。そしてサーバ装置では、テレビ受信装置から受信された視聴中番組の受信情報に基づいた番組情報に対応付けて同テレビ受信装置から受信されたアクセス先ＵＲＬが集計され、この集計された番組情報毎のアクセス先ＵＲＬの集計結果が出力されるので、例えば放送局は各放送番組に関連してよくアクセスされているＷｅｂサイトを容易に知ることができ、また番組視聴者は該視聴中の番組に関連してよくアクセスされているＷｅｂサイトを容易に知ることができる。
【００２２】
本発明の請求項２に記載のデジタルテレビ受信システムによれば、前記請求項１に記載のデジタルテレビ受信システムにおいて、サーバ装置は、複数の番組情報のそれぞれに対応付けて該番組に関連するＷｅｂサイトのＵＲＬを記憶する番組毎ＵＲＬ記憶手段を備え、テレビ受信装置から視聴中番組の受信情報が受信されたことに応答して当該受信情報に基づいた番組情報に対応付けて番組毎ＵＲＬ記憶手段により記憶された関連ＷｅｂサイトのＵＲＬをテレビ受信装置へ送信提供する。そしてテレビ受信装置では、サーバ装置から提供受信された視聴中のテレビ番組に関連するＷｅｂサイトのＵＲＬに従ってそのホームページのタイトルを該視聴中の番組画面に表示させるので、番組視聴者は該視聴中の番組に関連するＷｅｂサイトのホームページのタイトルを容易に知ることができ、また容易にそこにアクセスすることができる。
【００２３】
本発明の請求項３に記載のデジタルテレビ受信システムによれば、前記請求項２に記載のデジタルテレビ受信システムにおいて、テレビ受信装置のＨＰタイトル表示制御手段では、サーバ装置から提供受信された視聴中のテレビ番組に関連するＷｅｂサイトのＵＲＬに従ってそのホームページをダウンロードし、このダウンロードされたホームページのタイトルを視聴中の番組画面に表示させるので、視聴中の番組に関連するＷｅｂサイトのホームページのタイトルを容易に取得して表示させることができる。
【００２４】
本発明の請求項４に記載のデジタルテレビ受信システムによれば、前記請求項３に記載のデジタルテレビ受信システムにおいて、テレビ受信装置では、視聴中の番組画面に表示制御された関連Ｗｅｂサイトのホームページのタイトルがユーザ操作に応じて指定されると、この指定されたＨＰタイトルに応じてＨＰダウンロード手段によりダウンロードされているホームページが表示制御され、ＵＲＬ送信手段はこの表示制御されたホームページのＵＲＬを、番組視聴中にアクセスしたＷｅｂサイトのＵＲＬとしてサーバ装置へ送信するので、番組視聴者は視聴中の番組画面に表示された関連ホームページのタイトルを指定して、簡単にそのホームページを表示させ閲覧することができ、この閲覧したホームページのＵＲＬをサーバ装置へ通知することができる。
【００２５】
本発明の請求項５に記載のデジタルテレビ受信システムによれば、前記請求項４に記載のデジタルテレビ受信システムにおいて、テレビ受信装置のＵＲＬ送信手段によりサーバ装置へ送信する番組視聴中にアクセスしたＷｅｂサイトのＵＲＬの情報には、ＨＰ表示制御手段により表示制御されたホームページのＵＲＬとその表示時間が含まれ、サーバ装置のアクセスＵＲＬ集計手段は、受信情報受信手段により受信されたテレビ受信装置での受信情報に基づいた番組情報に対応付けてＵＲＬ受信手段により受信されたＵＲＬとそのホームページの表示時間を集計するので、例えば放送局は各放送番組に関連してよくアクセスされ見られているＷｅｂサイトを容易に知ることができ、また番組視聴者は該視聴中の番組に関連してよくアクセスされ見られているＷｅｂサイトを容易に知ることができる。
【００２６】
本発明の請求項６に記載のデジタルテレビ受信システムによれば、前記請求項１に記載のデジタルテレビ受信システムにおいて、テレビ受信装置は、さらに、テレビ番組の視聴中の当該テレビ受信装置に対するユーザ操作情報をサーバ装置へ送信するＴＶ操作送信手段を備え、サーバ装置は、さらに、テレビ受信装置のＴＶ操作送信手段により送信されたユーザ操作情報を受信するＴＶ操作情報受信手段を備え、アクセスＵＲＬ集計手段は、受信情報受信手段により受信されたテレビ受信装置での受信情報に基づいた番組情報に対応付けてＵＲＬ受信手段により受信されたＵＲＬおよびＴＶ操作情報受信手段により受信されたテレビ受信装置のユーザ操作情報を集計し、集計結果出力手段は、アクセスＵＲＬ集計手段により集計された番組情報毎のアクセスＵＲＬおよびテレビ受信装置のユーザ操作情報の集計結果を出力するので、例えば放送局は各放送番組に関連してよくアクセスされているＷｅｂサイトやチャンネル変更などのユーザ動向を容易に知ることができ、また番組視聴者は該視聴中の番組に関連してよくアクセスされているＷｅｂサイトやチャンネル変更などのユーザ動向を容易に知ることができる。
【００２７】
本発明の請求項７に記載のデジタルテレビ受信システムによれば、前記請求項１ないし請求項６の何れか１項に記載のデジタルテレビ受信システムにおいて、テレビ受信装置からサーバ装置へ通知する視聴中番組の受信情報は、受信チャンネルと現在時刻とを対応付けてなる情報であり、サーバ装置にてテレビ受信装置から番組視聴中に通知されたアクセス先ＵＲＬを対応付けする番組情報は、放送チャンネルと放送時間と番組名とを対応付けた情報であるので、サーバ装置ではテレビ受信装置による視聴中の番組を容易且つ確実に把握でき、これに対応付けて番組視聴中のアクセス先ＵＲＬを集計することができる。
【００２８】
本発明の請求項８に記載のテレビ受信装置によれば、テレビ受信機能とインターネット接続機能を有するテレビ受信装置であって、テレビ番組を視聴すると、該番組視聴中にその受信情報がインターネット上のサーバ装置へ送信され、また同番組視聴中にＷｅｂサイトにアクセスすると、このアクセスしたＷｅｂサイトのＵＲＬが同インターネット上のサーバ装置へ送信されるので、例えば各放送番組に関連してその視聴者によくアクセスされているＷｅｂサイトのＵＲＬをサーバ装置にて集計させ、放送局や視聴者に対し出力し開示することができる。
【００２９】
本発明の請求項９に記載のテレビ受信装置によれば、前記請求項８に記載のテレビ受信装置において、受信情報送信手段による受信情報の送信に応答してサーバ装置から送信提供された視聴中のテレビ番組に関連するＷｅｂサイトのＵＲＬが受信され、この受信されたＵＲＬに従ってそのホームページのタイトルが該視聴中の番組画面に表示される。そしてこの視聴中の番組画面に表示制御された関連Ｗｅｂサイトのホームページのタイトルがユーザ操作に応じて指定されると、この指定されたＨＰタイトルに応じてインターネットからダウンロードされたホームページが表示され、ＵＲＬ送信手段では、この表示制御されたホームページのＵＲＬを、番組視聴中にアクセスしたＷｅｂサイトのＵＲＬとしてサーバ装置へ送信するので、番組視聴者は視聴中の番組画面に表示された関連ホームページのタイトルを指定して、簡単にそのホームページを表示させ閲覧することができ、この閲覧したホームページのＵＲＬをサーバ装置へ通知して集計させることができる。
【００３０】
本発明の請求項１０に記載のテレビ受信装置によれば、前記請求項９に記載のテレビ受信装置において、ＵＲＬ送信手段によりサーバ装置へ送信するＵＲＬの情報には、ＨＰ表示制御手段により表示制御されたホームページのＵＲＬとその表示時間が含まれるので、番組視聴中にアクセスして見た関連ＷｅｂサイトのＵＲＬをどの程度見ているかの情報と共にサーバ装置へ通知して集計させることができる。
【００３１】
本発明の請求項１１に記載のテレビ受信装置によれば、前記請求項８に記載のテレビ受信装置において、さらに、テレビ番組視聴中の本受信装置に対するユーザ操作の情報がサーバ装置へ送信されるので、当該番組視聴中のチャンネル変更などのユーザ動向をもサーバ装置へ通知して集計させることができる。
【００３２】
本発明の請求項１２に記載のサーバ装置によれば、テレビ番組の視聴中にその受信情報をインターネット上のサーバ装置へ送信する受信情報送信手段と、同テレビ番組の視聴中にアクセスしたＷｅｂサイトのＵＲＬを同インターネット上のサーバ装置へ送信するＵＲＬ送信手段とを備えたテレビ受信装置が接続されているインターネット上のサーバ装置であって、テレビ受信装置から受信された視聴中番組の受信情報に基づいた番組情報に対応付けて同テレビ受信装置から受信されたアクセス先ＵＲＬが集計され、この集計された番組情報毎のアクセス先ＵＲＬの集計結果が出力されるので、例えば放送局は各放送番組に関連してよくアクセスされているＷｅｂサイトを容易に知ることができ、また番組視聴者は該視聴中の番組に関連してよくアクセスされているＷｅｂサイトを容易に知ることができる。
【００３３】
本発明の請求項１３に記載のサーバ装置によれば、前記請求項１２に記載のサーバ装置において、アクセスＵＲＬ集計手段は、受信情報受信手段により受信されたテレビ受信装置での受信情報に基づいた番組情報に対応付けてＵＲＬ受信手段により受信されたＵＲＬとそのホームページの表示時間を集計するので、例えば放送局は各放送番組に関連してよくアクセスされ見られているＷｅｂサイトを容易に知ることができ、また番組視聴者は該視聴中の番組に関連してよくアクセスされ見られているＷｅｂサイトを容易に知ることができる。
【００３４】
本発明の請求項１４に記載のサーバ装置によれば、前記請求項１２に記載のサーバ装置において、テレビ受信装置のＴＶ操作送信手段により送信されたユーザ操作情報を受信するＴＶ操作情報受信手段をさらに備え、アクセスＵＲＬ集計手段では、受信情報受信手段により受信されたテレビ受信装置での受信情報に基づいた番組情報に対応付けてＵＲＬ受信手段により受信されたＵＲＬおよびＴＶ操作情報受信手段により受信されたテレビ受信装置のユーザ操作情報を集計し、集計結果出力手段では、集計された番組情報毎のアクセスＵＲＬおよびテレビ受信装置のユーザ操作情報の集計結果を出力するので、例えば放送局は各放送番組に関連してよくアクセスされているＷｅｂサイトやチャンネル変更などのユーザ動向を容易に知ることができ、また番組視聴者は該視聴中の番組に関連してよくアクセスされているＷｅｂサイトやチャンネル変更などのユーザ動向を容易に知ることができる。
【００３５】
よって、本発明によれば、全視聴者を対象にテレビ番組視聴中におけるＷｅｂサイト閲覧情報を収集し有効利用することが可能になるデジタルテレビ受信システム、およびその受信装置、サーバ装置を提供できる。
【発明を実施するための最良の形態】
【００３６】
以下図面により本発明の実施の形態について説明する。
【００３７】
（第１実施形態）
図１は、本発明の実施形態に係るデジタルテレビ受信システムの全体構成を示すブロック図である。
【００３８】
このデジタルテレビ受信システムは、多数のデジタルテレビ受信装置１０Ａ，１０Ｂ，…を備えている。
【００３９】
このデジタルテレビ受信装置１０Ａ，１０Ｂ，…は、そのそれぞれが例えば一般ユーザによって使用され、放送局１１からその電波塔１１ａを介して発信される地上波デジタルテレビジョン放送を受信し映像・音声として出力する。このデジタルテレビ受信装置１０Ａ，１０Ｂ，…はまた、そのそれぞれがインターネットＮとの接続通信機能を有し、ユーザ操作に応じて各種のＷｅｂサイト（サーバ）１２Ａ，１２Ｂ，…にアクセスし当該各Ｗｅｂサイト（サーバ）１２Ａ，１２Ｂ，…から配信されるＷｅｂページの情報を出力する。
【００４０】
なお、インターネットＮ上に開設された各種のＷｅｂサイト（サーバ）１２Ａ，１２Ｂ，…は、前記放送局１１によるテレビ放送番組の関連情報を配信する。
【００４１】
また、インターネットＮ上には、本デジタルテレビ受信システムによるＵＲＬ提供サーバ１３および集計サーバ１４が接続され、これらのサーバ１３，１４には共有のデータベース１５が接続される。
【００４２】
ＵＲＬ提供サーバ１３は、放送局１１から各放送番組の関連情報を配信する各番組関連ｗｅｂサイト１２Ａ，１２Ｂ，…それぞれのＵＲＬ情報（図４参照）を受信し、データベース１５のデータを更新して記憶させる。またＵＲＬ提供サーバ１３は、前記デジタルテレビ受信装置１０Ａ，１０Ｂ，…から自動送信される視聴中番組情報を受信すると、データベース１５からその番組関連ｗｅｂサイト１２Ａ，１２Ｂ，…のＵＲＬ情報を取り出して配信する。
【００４３】
集計サーバ１４は、前記デジタルテレビ受信装置１０Ａ，１０Ｂ，…から自動送信される閲覧Ｗｅｂサイト（１２Ａ，１２Ｂ，…）のアクセス情報を受信し、データベース１５に記憶された各番組関連ｗｅｂサイト１２Ａ，１２Ｂ，…それぞれのＵＲＬ情報（図４参照）毎のアクセス回数として集計更新する。この集計サーバ１４は、データベース１５にて集計記憶された各番組関連ｗｅｂサイト１２Ａ，１２Ｂ，…毎のアクセス情報を放送局１１に提供したりＷｅｂ情報として提供したりして公開する。
【００４４】
図２は、前記デジタルテレビ受信システムにおけるデジタルテレビ受信装置１０（１０Ａ，１０Ｂ，…）の構成を示すブロック図である。
【００４５】
デジタルテレビ受信装置１０は、ＣＰＵからなる制御部２１を備え、この制御部２１はハードディスクやフラッシュＲＯＭなどのメモリ２２に記憶された装置制御プログラムに従って各部の動作を制御し、地上波デジタルテレビジョン放送の受信出力機能やインターネットＮとの接続通信機能を起動させる。
【００４６】
地上波デジタルテレビジョン放送の受信出力機能部には、デジタル放送受信部２３が備えられ、アンテナ２４を介して入力された地上波デジタルテレビの放送信号を受信する。
【００４７】
このデジタル放送受信部２３により受信された放送信号の画像信号は画像処理部２５を介して復調され、液晶パネルなどの表示部２６に出力されて表示される。また、同受信された放送信号の音声信号は音声処理部２７を介して復調され、スピーカ２８に出力されて再生される。
【００４８】
前記制御部２１には、前記メモリ２２、デジタル放送受信部２３、画像処理部２５、音声処理部２７が接続される他に、ネットワーク処理部２９、入力部３０が接続される。
【００４９】
ネットワーク処理部２９は、メモリ２２に記憶された通信処理プログラムに従った制御部２１による制御により、インターネットＮ上にある各種Ｗｅｂサーバ１２Ａ，１２Ｂ，…，１３，１４との接続通信処理を行う。
【００５０】
入力部３０には、電源のＯＮ／ＯＦＦキー、放送チャンネルの選択キー、音量の調整キーが備えられると共に、文字・記号の入力キー、カーソルキー、決定・実行キーなどが備えられる。
【００５１】
図３は、前記デジタルテレビ受信装置１０のメモリ２２に確保される各種データメモリの一部を示す図である。
【００５２】
プログラムメモリ２２ａには、このデジタルテレビ受信装置１０の全体の制御動作を司るシステムプログラムが予め記憶されると共に、テレビ放送番組の受信出力を行うためのテレビ放送受信処理プログラム、インターネットＮ上の各Ｗｅｂサイトとアクセスするための通信処理プログラム、アクセス中のＷｅｂサイトから配信されたＷｅｂページのデータを表示させるためのブラウザ処理プログラム、Ｗｅｂサイトとのアクセスに伴うＨＰ（ホームページ）の表示状況を監視するためのＨＰ表示監視処理プログラムなどが記憶される。
【００５３】
指定チャンネルメモリ２２ｂには、入力部３０によるユーザ操作に応じて指定された放送チャンネルのチャンネル番号が記憶される。
【００５４】
ＵＲＬ情報メモリ２２ｃには、前記ユーザ指定された放送チャンネルと現在の時刻に応じてＵＲＬ提供サーバ１３から配信提供された番組関連ＷｅｂサイトのＵＲＬが記憶される。
【００５５】
ダウンロードＨＰメモリ２２ｄには、各種のＷｅｂサイト１２Ａ，１２Ｂ，…からダウンロードされたＨＰ（ホームページ）のデータが記憶される。
【００５６】
指定ＵＲＬメモリ２２ｅには、放送番組の視聴表示中にその番組画像に重ね合わせ表示された番組関連ＷｅｂサイトのＨＰタイトルがユーザ指定された際に、この指定されたＨＰのＵＲＬが記憶される。
【００５７】
一定時間表示ＵＲＬメモリ２２ｆには、ユーザが放送番組の視聴表示中にインターネットＮにアクセスして、一定時間以上表示閲覧したホームページのＵＲＬが記憶される。
【００５８】
起点ＨＰ・ＵＲＬメモリ２２ｇには、ユーザが放送番組の視聴表示中にインターネットＮにアクセスし、複数のホームページを閲覧するに際して起点となったホームページのＵＲＬが記憶される。
【００５９】
図４は、前記デジタルテレビ受信システムにおけるＵＲＬ提供サーバ１３および集計サーバ１４の共有データベース１５にて逐次更新記憶される第１実施形態の放送番組毎ＵＲＬ情報１５ａの一部内容を示す図である。
【００６０】
この放送番組毎ＵＲＬ情報１５ａには、放送局１１により放送される各チャンネル、各番組毎の放送日時、番組名、番組ジャンルに対応付けて、当該番組関連Ｗｅｂサイトの各ＵＲＬとそのＨＰタイトル、そして該番組放送中における各ＨＰへの視聴者アクセス回数が記録される。このうちチャンネル、放送日時、番組名、番組ジャンル、番組関連ＷｅｂサイトＵＲＬ、ＨＰタイトルの各情報は、放送局１１からの同情報に基づきその変更の都度、ＵＲＬ提供サーバ１３によって更新記録され、ＨＰアクセス回数の情報はデジタルテレビ受信装置１０Ａ，１０Ｂ，…からのＨＰ表示閲覧情報に基づき集計サーバ１４によって集計され更新記録される。
【００６１】
次に、前記構成による第１実施形態のデジタルテレビ受信システムの動作について説明する。
【００６２】
図５は、前記デジタルテレビ受信システムのＵＲＬ提供サーバ１３におけるＵＲＬ提供処理を示すフローチャートである。
【００６３】
まず、ＵＲＬ提供サーバ１３は、共有データベース１５に記憶されている放送番組毎ＵＲＬ情報１５ａ（図４参照）について、放送局１１からの通知によりチャンネル、放送日時、番組名、番組ジャンル、番組関連サイトＵＲＬ、ＨＰタイトルの各情報に追加・変更があった場合には、当該追加・変更情報を更新して記憶する（ステップＴ１）。
【００６４】
そして、各デジタルテレビ受信装置１０Ａ，１０Ｂ，…から例えばその視聴中である受信チャンネルおよび現在時刻を含んだＵＲＬ情報要求が受け付けられた場合には（ステップＴ２）、その視聴中である受信チャンネルおよび現在時刻に応じて前記共有データベース１５に記憶されている放送番組毎ＵＲＬ情報１５ａの該当の番組関連ｗｅｂサイトのＵＲＬが読み出され、前記ＵＲＬ情報要求発信元のデジタルテレビ受信装置１０に対して送信提供される（ステップＴ３）。
【００６５】
図６は、前記デジタルテレビ受信システムのデジタルテレビ受信装置１０におけるテレビ表示処理を示すフローチャートである。
【００６６】
図７は、前記デジタルテレビ受信装置１０のテレビ表示処理に伴う放送番組映像画面Ｇの表示状態を示す図である。
【００６７】
テレビ受信装置１０の入力部３０のＯＮ／ＯＦＦキーの操作に応じて電源がオンされると（ステップＳ１）、チャンネルキーの操作に応じた指定チャンネルの放送番組がデジタル放送受信部２３にて受信され、画像処理部２５を介して表示部２６に対し放送番組映像画面Ｇとして表示出力されると共に、音声処理部２７を介してスピーカ２８から番組音声が出力される（ステップＳ２）。
【００６８】
すると、指定チャンネルメモリ２２ｂに記憶された現在の指定（受信）チャンネルおよび例えば制御部２１に内蔵された計時部によって計時されている現在時刻がインターネットＮ上のＵＲＬ提供サーバ１３へ送信される（ステップＳ３）。
【００６９】
この現在の指定（受信）チャンネルおよび時刻のＵＲＬ提供サーバ１３への送信に応答して、当該ＵＲＬサーバ１３からその共有データベース１５にて記録されている放送番組毎ＵＲＬ情報１５ａ（図４および図５のステップＴ２，Ｔ３参照）に基づき、テレビ受信装置１０において現在視聴中である放送番組の番組関連ＷｅｂサイトのＵＲＬ情報が受信されると（ステップＳ４）、この受信されたＵＲＬ情報はＵＲＬ情報メモリ２２ｃに記憶されると共に当該ＵＲＬに従ったＷｅｂサイト（サーバ）１２Ａ，１２Ｂ，…へアクセスされてそのＨＰ（ホームページ）のデータがダウンロードされ（ステップＳ５）、ダウンロードＨＰメモリ２２ｄに記憶される。
【００７０】
すると、例えば図７に示すように、ダウンロードＨＰメモリ２２ｄに記憶された視聴中の放送番組の各関連ＷｅｂサイトのＨＰタイトルＨａ，Ｈｂ，Ｈｃが、放送番組映像画面Ｇ上の下部に沿って表示される（ステップＳ６）。
【００７１】
ここで、入力部３０のチャンネルキーがユーザ操作されて指定チャンネルが変更されたと判断された場合には（ステップＳ７）、当該変更後の指定チャンネルに応じて前記ステップＳ２〜Ｓ６の処理が再実行され、変更視聴中の放送番組映像画面Ｇ上の下部に沿ってその番組関連ＷｅｂサイトのＨＰタイトルＨａ，Ｈｂ，Ｈｃが表示される。
【００７２】
そして、入力部３０のカーソルキーおよび決定・実行キーなどの組み合わせ操作に応じて前記放送番組映像画面Ｇ上に表示された番組関連Ｗｅｂサイトの任意のＨＰタイトルが指定されたと判断されるか（ステップＳ８）、またはインターネットＮへの接続が指示されてブラウザ処理プログラムが起動されたと判断されると（ステップＳ９）、図８におけるブラウザ表示処理（ステップＳＡ）へ移行される。
【００７３】
図８は、前記デジタルテレビ受信装置１０のテレビ表示処理に伴うブラウザ表示処理（ステップＳＡ）を示すフローチャートである。
【００７４】
このブラウザ表示処理（ステップＳＡ）では、前記ステップＳ８におけるユーザ操作に応じて、放送番組映像画面Ｇ上に表示された番組関連Ｗｅｂサイトの任意のＨＰタイトルが指定されたと判断された場合には（ステップＡ１）、当該指定のＨＰタイトルに対応するところのＨＰ（ホームページ）のデータがダウンロードＨＰメモリ２２ｄから読み出され（ステップＡ２）表示部２６に対して表示される（ステップＡ３）。
【００７５】
これにより、ユーザは現在視聴中の放送番組に関連する各ＷｅｂサイトのＨＰデータを選択的に指定して表示させることができる。
【００７６】
この後、入力部３０に対するユーザ操作に応じて新たなＷｅｂサイトのＵＲＬが指定されたと判断された場合には（ステップＡ４）、当該新たな指定ＵＲＬに対応するところのＨＰのデータが読み込まれ（ステップＡ６）、表示部２６に対して表示される（ステップＡ３）。
【００７７】
一方、前記ステップＳ９におけるユーザ操作に応じて、インターネットＮへの接続が指示されてブラウザ処理プログラムが起動されたと判断された場合には、その後にユーザ入力されたＵＲＬに従ったＷｅｂサイトへアクセスされてＨＰのデータが読み込まれ（ステップＡ１→Ａ６）、表示部２６に対して表示される（ステップＡ３）。
【００７８】
そして、前記同様に新たなＷｅｂサイトのＵＲＬが指定されたと判断された場合には（ステップＡ４）、当該新たな指定ＵＲＬに対応するところのＨＰのデータが読み込まれ（ステップＡ６）、表示部２６に対して表示される（ステップＡ３）。
【００７９】
この後、前記放送番組の視聴中におけるユーザ任意の関連ＷｅｂサイトのＨＰ表示の終了が指示されたと判断されると（ステップＡ５）、図９におけるＨＰ表示監視処理（ステップＳＢ）へ移行される。
【００８０】
図９は、前記デジタルテレビ受信装置１０のテレビ表示処理に伴う第１実施形態のＨＰ表示監視処理（ステップＳＢ）を示すフローチャートである。
【００８１】
前記図８におけるブラウザ表示処理を経て、視聴中の放送番組に関連するＷｅｂサイトＨＰの表示閲覧が終了すると、まず当該ＨＰを表示閲覧していた時間が例えばメモリ２２に記録された通信履歴から取得測定され（ステップＢ１）、一定時間以上表示閲覧されていたＨＰのＵＲＬが抽出されて一定時間表示ＵＲＬメモリ２２ｆに記憶登録される（ステップＢ２）。
【００８２】
また、前記表示閲覧されたＨＰのＵＲＬについて、閲覧履歴を調べて複数のホームページへジャンプした元となるホームページを見つけ出し、そのようなホームページがある場合には、そのページを起点ＵＲＬとして起点ＨＰ・ＵＲＬメモリ２２ｇに記憶登録する（ステップＢ４）。
【００８３】
すると、前記ステップＢ３，Ｂ４において一定時間表示ＵＲＬメモリ２２ｆに登録された一定時間以上表示閲覧されていたＨＰのＵＲＬ、および起点ＨＰ・ＵＲＬメモリ２２ｇに登録された起点ＨＰのＵＲＬが読み出され、集計サーバ１４へ送信される（ステップＢ５）。
【００８４】
このように、デジタルテレビ受信装置１０Ａ，１０Ｂ，…のテレビ表示処理では、視聴中の放送番組に関連するＷｅｂサイトＨＰのＵＲＬがＵＲＬ提供サーバ１３から取得され、この取得されたＵＲＬに従ったＨＰのデータがダウンロードされると共に、当該ＨＰのタイトルが放送番組映像画面Ｇ上に表示される。そして、ユーザ所望のＨＰタイトルが指定されてそのＨＰが表示閲覧されると、その中で一定時間以上表示閲覧されたＨＰのＵＲＬ、および起点となるＨＰのＵＲＬが抽出されて集計サーバ１４へ送信されるものである。
【００８５】
よって、集計サーバ１４では、各デジタルテレビ受信装置１０Ａ，１０Ｂ，…のそれぞれにおいてその番組視聴中に表示され各ユーザによって確実に閲覧されたＨＰのＵＲＬ情報を収集することができる。
【００８６】
図１０は、前記デジタルテレビ受信システムの集計サーバ１４における第１実施形態の集計処理を示すフローチャートである。
【００８７】
図１１は、前記デジタルテレビ受信システムの集計サーバ１４における第１実施形態の集計処理に応じて放送局１１にて生成される関連ＨＰアクセスランキングメッセージＭ入りの放送番組映像画面Ｇを示す図である。
【００８８】
前記図６〜図９における各デジタルテレビ受信装置１０Ａ，１０Ｂ，…でのテレビ表示処理に伴うＨＰ表示監視処理（ステップＳＢ）に応じて、当該各デジタルテレビ受信装置１０Ａ，１０Ｂ，…から送信された番組視聴中の表示閲覧ＵＲＬ情報が受信されると（ステップＰ１）、共有データベース１５にて記憶管理されている放送番組毎ＵＲＬ情報１５ａ（図４参照）において、その視聴中番組のＵＲＬ情報に対応するところのアクセス回数がカウントアップされ、各番組関連ＷｅｂサイトＨＰへのユーザアクセス回数として集計される（ステップＰ２）。
【００８９】
すると、この集計処理された放送番組毎ＵＲＬ情報１５ａは、放送局１１へ送信提供されて、例えば図１１に示すように、各対応する番組放送中（例えば「七夕の夜」）の番組映像画面Ｇ上に当該番組関連ＷｅｂサイトＨＰに対するユーザ（視聴者）アクセスランキングのメッセージＭ（現在アクセス数が多いページは、１．七夕の夜、２．提供・Ｙ社、３．…）として挿入表示される（ステップＰ３）。
【００９０】
また、同様に集計処理された放送番組毎ＵＲＬ情報１５ａは、Ｗｅｂ情報として公開提供され（ステップＰ４）、各番組視聴者は関連するＷｅｂサイトＨＰの人気具合を容易に知ることができる。
【００９１】
したがって、前記構成の第１実施形態のデジタルテレビ受信システムによれば、インターネットＮとの接続通信機能を備えた各デジタルテレビ受信装置１０Ａ，１０Ｂ，…それぞれにおける各放送番組の視聴中に、当該番組関連ＷｅｂサイトのＵＲＬをＵＲＬ提供サーバ１３から配信してそのＨＰデータをダウンロードさせＨＰタイトルを表示させると共に、番組視聴者がタイトル指定して閲覧したＨＰのＵＲＬ情報を、ＵＲＬ提供サーバ１３および集計サーバ１４の共有データベース１５において管理される放送番組毎ＵＲＬ情報１５ａにおいて、各番組毎の関連ＷｅｂサイトＵＲＬに対する視聴者アクセス回数として集計記録し、放送局１１に提供して各番組映像画面Ｇに該番組関連各Ｗｅｂサイトへの視聴者アクセス数ランキングとして表示させたり、Ｗｅｂ情報として提供開示して各番組視聴者にその番組関連Ｗｅｂサイトへの人気ランキング情報として適宜取得させたりできるようにしたので、例えば各番組視聴者はそのそれぞれの番組関連Ｗｅｂサイトの人気の度合いを容易に知ることができ、自身が同関連ＷｅｂサイトのＨＰを開いて閲覧する際の大きな参考とすることができる。
【００９２】
また、前記構成のデジタルテレビ受信システムによれば、放送番組視聴中のデジタルテレビ受信装置１０Ａ，１０Ｂ，…に対して、ＵＲＬ提供サーバ１３から提供された番組関連ＷｅｂサイトのＵＲＬに従い予めそのＨＰデータをダウンロードして取得すると共に、視聴中の番組映像画面Ｇに対してそのＨＰタイトルを表示させるので、この表示されたＨＰタイトルをユーザ操作により指定することで、簡単に対応するＨＰのデータを表示閲覧できるようになる。
【００９３】
なお、前記第１実施形態のデジタルテレビ受信システムでは、デジタルテレビ受信装置１０Ａ，１０Ｂ，…での放送番組視聴中に閲覧されたＨＰのＵＲＬ情報について、集計サーバ１４によりの各番組毎の関連ＷｅｂサイトＵＲＬに対する視聴者アクセス回数として集計記録し、これを放送局１１に提供して番組関連各Ｗｅｂサイトへの視聴者アクセス数ランキングとして各番組映像画面Ｇ内に表示させたり、Ｗｅｂ情報として提供開示して各番組視聴者にその番組関連Ｗｅｂサイトへの人気ランキング情報として適宜取得させたりする構成としたが、次の第２実施形態のデジタルテレビ受信システムで説明するように、前記集計サーバ１４では、放送番組視聴中に閲覧されたＨＰのＵＲＬ情報だけでなく、当該番組視聴中のユーザによるテレビ操作情報（ユーザ動向）をも取得集計して放送局１１へ提供あるいはＷｅｂ情報として提供開示する構成としてもよい。
【００９４】
（第２実施形態）
図１２は、前記デジタルテレビ受信システムにおけるＵＲＬ提供サーバ１３および集計サーバ１４の共有データベース１５にて逐次更新記憶される第２実施形態の放送番組毎ＵＲＬ情報およびテレビ操作情報１５ａ′の一部内容を示す図である。
【００９５】
この第２実施形態の放送番組毎ＵＲＬ情報およびテレビ操作情報１５ａ′には、放送局１１により放送される各チャンネルおよび放送日時に基づいた番組データに対応付けて、当該番組関連Ｗｅｂサイトの各ＵＲＬデータ（含むＨＰタイトル）、該番組放送中における各ＨＰへのアクセス状況に応じた度数を示すポイントデータ、視聴者アクセス回数、そして該番組放送中における視聴者テレビ操作の内容（チャンネル変更、電源オフなど）とその回数データが記録される。このうちチャンネルおよび放送日時に基づいた番組データ、番組関連Ｗｅｂサイトの各ＵＲＬデータ（含むＨＰタイトル）の各情報は、放送局１１からの同情報に基づきその変更の都度、ＵＲＬ提供サーバ１３によって更新記録される。また、各ＨＰへのアクセス状況に応じた度数を示すポイントデータ、視聴者アクセス回数、そして視聴者テレビ操作の内容（チャンネル変更、電源オフなど）とその回数データの情報は、デジタルテレビ受信装置１０Ａ，１０Ｂ，…からのＨＰ表示閲覧情報およびＴＶ操作情報に基づき集計サーバ１４によって集計され更新記録される。
【００９６】
この第２実施形態のデジタルテレビ受信システムにおいて、ＵＲＬ提供サーバ１３におけるＵＲＬ提供処理（図５参照）とデジタルテレビ受信装置１０でのテレビ表示処理（図６参照）に伴うブラウザ表示処理（ステップＳＡ：図８参照）とは、前記第１実施形態にて説明したその内容と同様であるが、前記デジタルテレビ受信装置１０でのテレビ表示処理（図６参照）に伴うＨＰ表示監視処理（ステップＳＢ：図１３参照）と集計サーバ１４における集計処理（図１７参照）とは異なる処理になる。また、この第２実施形態のデジタルテレビ受信システムでは、前記デジタルテレビ受信装置１０でのテレビ表示処理（図６参照）と並行してＴＶ操作監視処理（図１５参照）が起動される。
【００９７】
図１３は、前記デジタルテレビ受信装置１０のテレビ表示処理に伴う第２実施形態のＨＰ表示監視処理（ステップＳＢ）を示すフローチャートである。
【００９８】
図１４Ａと図１４Ｂは、前記デジタルテレビ受信装置１０での第２実施形態のＨＰ表示監視処理（ステップＳＢ）に伴い集計サーバ１４へ送信される新規閲覧ＵＲＬデータと閲覧後ＵＲＬデータの送信フォーマットＦ１，Ｆ２を示す図である。
【００９９】
すなわち、前記デジタルテレビ受信装置１０での図８におけるブラウザ表示処理を経て、視聴中の放送番組に関連するＷｅｂサイトＨＰの表示閲覧が行われると、ネットワーク処理部２９を介して新規にアクセスしたＨＰのＵＲＬと制御部２１の内蔵タイマにより計時されるアクセス開始時刻（接続開始時間）が取得され（ステップＢ１１）、図１４Ａに示すように、デジタル放送受信部２３から得られる視聴中番組のチャンネルデータと共に当該デジタルテレビ受信装置１０のメモリ２２に予め記憶された端末識別情報に対応付けられた送信フォーマットＦ１として集計サーバ１４へ送信される（ステップＢ１２）。
【０１００】
またこれに伴い、前記新規にアクセスしたＨＰへのアクセス開始直前までネットワーク処理部２９を介してアクセス表示されていたＨＰのＵＲＬと前記内蔵タイマにより計時されるアクセス時間（接続時間長＝現在時刻−アクセス開始時刻）が取得され（ステップＢ１３）、図１４Ｂに示すように、デジタル放送受信部２３から得られる視聴中番組のチャンネルデータと共に当該デジタルテレビ受信装置１０のメモリ２２に予め記憶された端末識別情報に対応付けられた送信フォーマットＦ１として集計サーバ１４へ送信される（ステップＢ１４）。
【０１０１】
図１５は、前記デジタルテレビ受信装置１０でのテレビ表示処理（図６参照）と並行起動されるＴＶ操作監視処理を示すフローチャートである。
【０１０２】
図１６は、前記デジタルテレビ受信装置１０でのＴＶ操作監視処理に伴い集計サーバ１４へ送信されるＴＶ操作データの送信フォーマットＦ３を示す図である。
【０１０３】
デジタルテレビ受信装置１０での番組視聴中において、入力部３０からのチャンネル操作入力によりチャンネル変更が行われたと判断されると（ステップＳ１１（Ｙｅｓ））、変更操作前の視聴チャンネルと変更操作後の視聴チャンネルとのチェンネル操作データが取得され（ステップＳ１４）、図１６に示すように、同変更操作前を視聴中番組のチャンネルデータとして当該デジタルテレビ受信装置１０のメモリ２２に予め記憶された端末識別情報を対応付けた送信フォーマットＦ３として集計サーバ１４へ送信される（ステップＳ１７）。
【０１０４】
また同様に、入力部３０からの音量操作入力により音量変更が行われたと判断されると（ステップＳ１２（Ｙｅｓ））、その音量操作データおよび視聴中のチャンネルデータが取得され（ステップＳ１５）、図１６に示すように、当該デジタルテレビ受信装置１０のメモリ２２に予め記憶された端末識別情報を対応付けた送信フォーマットＦ３として集計サーバ１４へ送信される（ステップＳ１７）。
【０１０５】
さらにまた、入力部３０における電源操作入力により電源オフ（ＴＶオフ）の操作が行われたと判断されると（ステップＳ１３（Ｙｅｓ））、そのＴＶオフの操作データと視聴中のチャンネルデータが取得され（ステップＳ１６）、図１６に示すように、当該デジタルテレビ受信装置１０のメモリ２２に予め記憶された端末識別情報を対応付けた送信フォーマットＦ３として集計サーバ１４へ送信される（ステップＳ１７）。
【０１０６】
よって、集計サーバ１４では、前記図１３における第２実施形態のＨＰ表示監視処理および前記図１５におけるＴＶ操作監視処理によって、各デジタルテレビ受信装置１０Ａ，１０Ｂ，…のそれぞれにおいてその番組視聴中に表示され各ユーザによって閲覧されたＨＰのＵＲＬ情報とその閲覧時間およびテレビ操作情報を収集することができる。
【０１０７】
図１７は、前記デジタルテレビ受信システムの集計サーバ１４における第２実施形態の集計処理を示すフローチャートである。
【０１０８】
図１８は、前記デジタルテレビ受信システムの集計サーバ１４における第２実施形態の集計処理に応じて放送局１１にて生成される関連ＨＰアクセスランキングおよび視聴者動向メッセージＭ′入りの放送番組映像画面Ｇを示す図である。
【０１０９】
前記図６〜図８，図１３〜図１６における各デジタルテレビ受信装置１０Ａ，１０Ｂ，…でのテレビ表示処理に伴う第２実施形態のＨＰ表示監視処理（ステップＢ１１〜Ｂ１４）およびＴＶ操作監視処理（ステップＳ１１〜Ｓ１７）に応じて、当該各デジタルテレビ受信装置１０Ａ，１０Ｂ，…から送信された番組視聴中の表示閲覧ＵＲＬ情報およびＴＶ操作情報が受信されると（ステップＰ１１）、その受信データの内容について前記図１４Ａの送信フォーマットＦ１として示した新規閲覧ＵＲＬデータであるか、または前記図１４Ｂの送信フォーマットＦ２として示した閲覧ＵＲＬの時間長データであるか、または前記図１６の送信フォーマットＦ３として示したＴＶ操作データであるか判断される（ステップＰ１２〜Ｐ１４）。
【０１１０】
ここで、デジタルテレビ受信装置１０Ａ，１０Ｂ，…から受信されたデータが新規閲覧ＵＲＬデータ（Ｆ１：図１４Ａ参照）であると判断されると（ステップＰ１２（Ｙｅｓ））、共有データベース１５にて記憶管理されている放送番組毎ＵＲＬ情報およびテレビ操作情報１５ａ′（図１２参照）において、その視聴中のチャンネルおよび時刻に応じた番組データと新規閲覧ＵＲＬデータに対応するところの閲覧ポイントが新規閲覧ポイント分（例えば２０ポイント）加算されると共に、同ＵＲＬに対応するユーザアクセス回数もカウントアップされて集計更新される（ステップＰ１５）。
【０１１１】
また、デジタルテレビ受信装置１０Ａ，１０Ｂ，…から受信されたデータが閲覧ＵＲＬの時間長データ（Ｆ２：図１４Ｂ参照）であると判断されると（ステップＰ１３（Ｙｅｓ））、共有データベース１５にて記憶管理されている放送番組毎ＵＲＬ情報およびテレビ操作情報１５ａ′（図１２参照）において、その視聴中のチャンネルに応じた番組データとそれまでの閲覧ＵＲＬデータに対応するところの閲覧ポイントが、接続（閲覧）時間長に応じたポイント分（例えば１ポイント／３分）加算されて集計更新される（ステップＰ１６）。
【０１１２】
またさらに、デジタルテレビ受信装置１０Ａ，１０Ｂ，…から受信されたデータがＴＶ操作データ（Ｆ３：図１６参照）であると判断されると（ステップＰ１４（Ｙｅｓ））、共有データベース１５にて記憶管理されている放送番組毎ＵＲＬ情報およびテレビ操作情報１５ａ′（図１２参照）において、その視聴中のチャンネルに応じた番組データに対応するところのＴＶ操作データとして、チャンネル変更の場合には例えば「ｃｈ１へ」、音量変更の場合には例えば「Ｖｏｌ−Ｕｐ」、電源オフの場合には例えば「ＴＶオフ」として書き込まれると共にそれぞれその回数がカウントアップされて集計更新される（ステップＰ１７）。
【０１１３】
そして、前記ステップＰ１１〜Ｐ１７の処理に従って、前記共有データベース１５にて記憶管理されている放送番組毎ＵＲＬ情報およびテレビ操作情報１５ａ′（図１２参照）が集計更新されると、この集計処理された放送番組毎ＵＲＬ情報およびテレビ操作情報１５ａ′は、放送局１１へ送信提供されて、例えば図１８に示すように、各対応する番組放送中（例えば「ＡＡＡ」）の番組映像画面Ｇ上に当該番組関連ＷｅｂサイトＨＰに対するユーザ（視聴者）アクセスランキングおよび視聴者動向のメッセージＭ′（例えば「・現在アクセス数が多いページは、１．ｙｙｙ．ＨＰ、２．ｚｚｚ．ＨＰ、３．…、・現在アクセス時間が長いページは、１．ｘｘｘ．ＨＰ、２．ｙｙｙ．ＨＰ、３．…、・現在チャンネル変更先ランクは、１．ｃｈ５、２．ｃｈ１、３．…）として挿入表示される（ステップＰ１８）。
【０１１４】
また、同様に前記集計処理された放送番組毎ＵＲＬ情報およびテレビ操作情報１５ａ′は、Ｗｅｂ情報として公開提供され（ステップＰ１８）、各番組視聴者は関連するＷｅｂサイトＨＰの人気具合やその視聴者動向（チャンネル変更先など）を容易に知ることができる。
【０１１５】
したがって、前記構成の第２実施形態のデジタルテレビ受信システムによれば、集計サーバ１４では、放送番組視聴中に閲覧されたＨＰのＵＲＬ情報だけでなく、当該番組視聴中のユーザによるテレビ操作情報（視聴者動向）をも取得集計して放送局１１へ提供あるいはＷｅｂ情報として提供開示するようにしたので、例えば各番組視聴者はそのそれぞれの番組関連Ｗｅｂサイトの人気の度合いや裏番組への移行の度合を容易に知ることができ、自身が同関連ＷｅｂサイトのＨＰを開いて閲覧する際や他の番組を視聴する際の大きな参考とすることができる。
【０１１６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１１７】
【図１】本発明の実施形態に係るデジタルテレビ受信システムの全体構成を示すブロック図。
【図２】前記デジタルテレビ受信システムにおけるデジタルテレビ受信装置１０（１０Ａ，１０Ｂ，…）の構成を示すブロック図。
【図３】前記デジタルテレビ受信装置１０のメモリ２２に確保される各種データメモリの一部を示す図。
【図４】前記デジタルテレビ受信システムにおけるＵＲＬ提供サーバ１３および集計サーバ１４の共有データベース１５にて逐次更新記憶される第１実施形態の放送番組毎ＵＲＬ情報１５ａの一部内容を示す図。
【図５】前記デジタルテレビ受信システムのＵＲＬ提供サーバ１３におけるＵＲＬ提供処理を示すフローチャート。
【図６】前記デジタルテレビ受信システムのデジタルテレビ受信装置１０におけるテレビ表示処理を示すフローチャート。
【図７】前記デジタルテレビ受信装置１０のテレビ表示処理に伴う放送番組映像画面Ｇの表示状態を示す図。
【図８】前記デジタルテレビ受信装置１０のテレビ表示処理に伴うブラウザ表示処理（ステップＳＡ）を示すフローチャート。
【図９】前記デジタルテレビ受信装置１０のテレビ表示処理に伴う第１実施形態のＨＰ表示監視処理（ステップＳＢ）を示すフローチャート。
【図１０】前記デジタルテレビ受信システムの集計サーバ１４における第１実施形態の集計処理を示すフローチャート。
【図１１】前記デジタルテレビ受信システムの集計サーバ１４における第１実施形態の集計処理に応じて放送局１１にて生成される関連ＨＰアクセスランキングメッセージＭ入りの放送番組映像画面Ｇを示す図。
【図１２】前記デジタルテレビ受信システムにおけるＵＲＬ提供サーバ１３および集計サーバ１４の共有データベース１５にて逐次更新記憶される第２実施形態の放送番組毎ＵＲＬ情報およびテレビ操作情報１５ａ′の一部内容を示す図。
【図１３】前記デジタルテレビ受信装置１０のテレビ表示処理に伴う第２実施形態のＨＰ表示監視処理（ステップＳＢ）を示すフローチャート。
【図１４Ａ】前記デジタルテレビ受信装置１０での第２実施形態のＨＰ表示監視処理（ステップＳＢ）に伴い集計サーバ１４へ送信される新規閲覧ＵＲＬデータの送信フォーマットＦ１を示す図。
【図１４Ｂ】前記デジタルテレビ受信装置１０での第２実施形態のＨＰ表示監視処理（ステップＳＢ）に伴い集計サーバ１４へ送信される閲覧後ＵＲＬデータの送信フォーマットＦ２を示す図。
【図１５】前記デジタルテレビ受信装置１０でのテレビ表示処理（図６参照）と並行起動されるＴＶ操作監視処理を示すフローチャート。
【図１６】前記デジタルテレビ受信装置１０でのＴＶ操作監視処理に伴い集計サーバ１４へ送信されるＴＶ操作データの送信フォーマットＦ３を示す図。
【図１７】前記デジタルテレビ受信システムの集計サーバ１４における第２実施形態の集計処理を示すフローチャート。
【図１８】前記デジタルテレビ受信システムの集計サーバ１４における第２実施形態の集計処理に応じて放送局１１にて生成される関連ＨＰアクセスランキングおよび視聴者動向メッセージＭ′入りの放送番組映像画面Ｇを示す図。
【符号の説明】
【０１１８】
１０Ａ，１０Ｂ，…デジタルテレビ受信装置
１１  …放送局
１１ａ…電波塔
１２Ａ，１２Ｂ，…Ｗｅｂサイト（サーバ）
１３  …ＵＲＬ提供サーバ
１４  …集計サーバ
１５  …共有データベース
１５ａ…放送番組毎ＵＲＬ情報
１５ａ′…放送番組毎ＵＲＬ情報およびテレビ操作情報
２１  …制御部
２２  …メモリ
２２ａ…プログラムメモリ
２２ｂ…指定チャンネルメモリ
２２ｃ…ＵＲＬ情報メモリ
２２ｄ…ダウンロードＨＰメモリ
２２ｅ…指定ＵＲＬメモリ
２２ｆ…起点ＨＰ・ＵＲＬメモリ
２３  …デジタル放送受信部
２４  …アンテナ
２５  …画像処理部
２６  …表示部
２７  …音声処理部
２８  …スピーカ
２９  …ネットワーク処理部
３０  …入力部
Ｎ  …インターネット
Ｈａ，Ｈｂ，…ＨＰ（ホームページ）タイトル
Ｇ  …放送番組映像画面
Ｍ  …関連ＨＰアクセスランキングメッセージ
Ｍ′…関連ＨＰアクセスランキングおよび視聴者動向メッセージ
【図１】
2007110671.tif 000003
【図２】
2007110671.tif 000004
【図３】
2007110671.tif 000005
【図４】
2007110671.tif 000006
【図５】
2007110671.tif 000007
【図６】
2007110671.tif 000008
【図７】
2007110671.tif 000009
【図８】
2007110671.tif 000010
【図９】
2007110671.tif 000011
【図１０】
2007110671.tif 000012
【図１１】
2007110671.tif 000013
【図１２】
2007110671.tif 000014
【図１３】
2007110671.tif 000015
【図１４Ａ】
2007110671.tif 000016
【図１４Ｂ】
2007110671.tif 000017
【図１５】
2007110671.tif 000018
【図１６】
2007110671.tif 000019
【図１７】
2007110671.tif 000020
【図１８】
2007110671.tif 000021